(57)【特許請求の範囲】
【請求項１】
納豆が充填される容器本体と、開閉可能な蓋体と、容器本体内部に充填された納豆の上面に敷設される乾燥防止シートと、からなる納豆容器において、容器本体の一端辺と蓋体の一端辺と乾燥防止シートの一端辺を重ね合せて固定し、乾燥防止シートの固定された一端辺とは反対側の一端辺に糸状の引っ張り手段の一端を結合するとともに、糸状の引っ張り手段の他端を容器本体の一端辺と蓋体の一端辺の固定した隙間から容器の外に出したことを特徴とする納豆容器。
【発明の詳細な説明】
【技術分野】
【０００１】  本発明は、納豆を包装するための納豆容器に関するものである。
【背景技術】
【０００２】  現在の納豆容器は、合成樹脂製の容器に原料の納豆を充填し、その納豆の表面を覆う乾燥防止シートが敷設され、さらにその上から蓋が被覆された構造のものが多数を占める。このような納豆容器は、乾燥防止シートを取り除く際に手に納豆の粘りが付着し、タレ袋及び調味料袋を開封する際、手に付着した粘りで袋の開封が困難であり、また乾燥防止シートをゴミ処理する際、粘りの付着した面が露出した状態で処理しなければならないという問題があった。【０００３】  そこで手を汚さないようにするため、特開２００７−１６０１公報に記載されている納豆容器が開発されている。この納豆容器は、納豆が充填される容器本体と、開閉可能な蓋体と、容器本体内部に充填された納豆の上面に敷設される乾燥防止シートからなり、該乾燥防止シートの一端辺が上記容器本体と蓋体との隙間を通じて容器外部にはみ出した状態とされ、かつ、乾燥防止シートが封着されないように上記容器本体と蓋体とを封着することで、蓋体を開けることなく上記乾燥防止シートを容器外へ取り出すことを可能としたことを特徴とする納豆容器である。
【特許文献１】特開２００７−１６０１公報
【発明の開示】
【発明が解決しようとする課題】
【０００４】  しかし、この特開２００７−１６０１に記載されている納豆容器では乾燥防止シートを引き抜いた後の手に持つ角度によって粘りで手が汚れる可能性があり、またゴミ処理の時にも同様の懸念がある。そこで、本発明は、粘りで手を汚すことなく納豆の上面から乾燥防止シートの除去を行い、また、乾燥防止シートのゴミの処理の際にも手を汚すことがない納豆容器を提供するものである。
【課題を解決するための手段】
【０００５】  前記目的を達成するために、本発明は、納豆が充填される容器本体と、開閉可能な蓋体と、容器本体内部に充填された納豆の上面に敷設される乾燥防止シートと、からなる納豆容器において、容器本体の一端辺と蓋体の一端辺と乾燥防止シートの一端辺を重ね合せて固定し、乾燥防止シートの固定された一端辺とは反対側の一端辺に糸状の引っ張り手段の一端を結合するとともに、糸状の引っ張り手段の他端を容器本体の一端辺と蓋体の一端辺の固定した隙間から容器の外に出したことを特徴とする。
【発明の効果】
【０００６】  本発明は、このような構成により、糸状の引っ張り手段を引っ張ることにより乾燥防止シート全体が容器本体と蓋体を重ね合せた位置付近に収縮し集約することができるので、該乾燥防止シートに付着した納豆を容器本体に留めることが可能である。【０００７】  また、納豆を食す際、手を汚すことなく、納豆上から簡易に乾燥防止シートを取り除くことができる。【０００８】  さらに、指先を汚すことなく、乾燥防止シートのゴミを手間なく処理することが可能である。
【発明を実施するための最良の形態】
【０００９】  以下、本発明にかかる納豆容器について、図１から４に基づいて説明する。【００１０】  本発明にかかる納豆容器１は図１図２に記載されているように、納豆Ｇが充填される容器本体２と、開閉可能かつ分割可能な蓋体３と、該容器本体２内部に充填された納豆Ｇの上面に納豆Ｇが乾燥するのを防止するのに必要な面積で敷設される乾燥防止シート４からなっている。【００１１】  容器本体２及び蓋体３の素材については、従来の発砲スチロール（ＰＳＰ）等が考えられるが、断熱性、耐水性、加工適正等、軽くて丈夫な容器であり、かつ、品質劣化、食中毒等のトラブルを防止でき、環境及び人体に悪影響を及ぼすことがない、食品容器素材として万全なものでよく、特に限定するものではない。【００１２】  乾燥防止シート４に使用する各素材についても同様に、上記条件を満たし、かつ、乾燥防止シートに適した素材であればよいが、引っ張り手段を講じるため強度のある素材が望ましい。【００１３】  蓋体３は分割可能な蓋体固定部３ａと分割蓋体３ｂからなる。蓋体においては、引っ張り手段の機能を損なわない限り、開閉、分割、または、折り曲げて使用しても差支えはない。【００１４】  納豆容器１は容器本体２の一端辺２ａと蓋体固定部３ａの間に乾燥防止シート４の一端辺のシート固定部４ａを挟み込み、容器本体２の一端辺２ａと蓋体固定部３ａと乾燥防止シート４の一端辺のシート固定部４ａとが重なり合う位置の数箇所を固定手段１０で固定させている。【００１５】  糸状の引っ張り手段５の一端は図２に図示されているように、乾燥防止シート４のシート固定部４ａとは反対側の結合部７の３箇所において結合させるとともに、それぞれの糸状の引っ張り手段５には、帯状の糸カバー８を長手方向の両端の接着部６のみ乾燥防止シート４に接着させて覆っている。このように帯状カバー８の非接着部を筒状に構成することによって、糸状の引っ張り手段５の動きが規制でき、糸状の引っ張り手段を引っ張ることで最小限に収縮することができるようになる。糸状の引っ張り手段５の他端は、固定手段１０で固定されていない蓋体固定部３ａと乾燥防止シート４のシート固定部４ａとの間から接着又は固定させないよう容器の外に出されている。【００１６】  なお、帯状の糸カバー８は、接着部６のみを接着するだけでなく、結合部７においても接着して筒状ではなく袋状にすれば、結合部７での引っ張り手段５の結合を強固にすることができる。また、引っ張り手段５の本数は乾燥防止シート４が均等かつ、最小限に収縮すればよいので、実施例のように３本に限定するものではなく、必要に応じて決定されるものであり、帯状の糸カバーもその枚数や構造は実施例に限定されるものではない。引っ張り手段５の素材は綿糸であっても、合成樹脂糸であっても、人体に影響がなければよい。【００１７】  また、容器の外に出された糸状の引っ張り手段５の端部を図１に示すように引張片９に固定するようにすれば、乾燥防止シート４に加わる力が均等になり収縮を滞りなくすることができる。加えて、引張片９の一部に粘着素材を付着させるような構造にすることにより、容器本体２に付着させることができ、糸状の引っ張り手段５の絡みなどに煩わされることが解消される。【００１８】  本発明にかかる納豆容器１の使い方を説明すると、納豆を食す際、まず図１のように蓋体固定部３ａを容器本体２に残して分割蓋体３ｂを切り取り、中にあるタレ及びカラシなどを取り出した後に、図３に示すように、引張片９で糸状の引っ張り手段５を引っ張ることにより、乾燥防止シート全体が蓋体固定部３ａの分割部近郊に収縮し集約する。【００１９】  図４に記載されているのは、本発明にかかる納豆容器１の別の実施形態である。図４の納豆容器１は乾燥防止シート４が収納され、その復原を妨げるようにするために、図４に図示しているように納豆容器１の乾燥防止シート４が収縮する側に溝状凹部１１を設けるとともに、突出部１２を設けている
【図面の簡単な説明】
【００２０】
【図１】  本考案にかかる納豆容器の斜視図である。
【図２】  本発明の一部の乾燥防止シート４の平面図である。
【図３】  本発明の実施形態にかかる納豆容器１における、蓋体の一部を取り除いた断面図である。
【図４】  本発明の別の実施形態にかかる納豆容器１における、蓋体の一部を取り除いた断面図である。
【符号の説明】
【００２１】  １      納豆容器
２      容器本体
２ａ    容器本体固定部
３      蓋体
３ａ    蓋体固定部
３ｂ    分割蓋体
４      乾燥防止シート
４ａ    シート固定部
５      糸状の引っ張り手段
６      接着部
７      結合部
８      糸カバー
９      引張片
１０    固定手段
１１    溝状凹部
１２    突出部
Ｇ      納豆
【要約】
【課題】  納豆を食す際、納豆の粘りで手を汚すことなく、乾燥防止シートの除去を行い、乾燥防止シートのゴミ処理の際にも、粘りで手を汚すことなく、また、乾燥防止シートのゴミ処理の手間をも要することがない納豆容器を開発すること。
【解決手段】  納豆が充填される容器本体２と、開閉可能な蓋体３と、容器本体２内部に充填された納豆Ｇの上面に敷設される乾燥防止シート４と、からなる納豆容器１において、容器本体２の一端辺と蓋体３の一端辺と乾燥防止シート４の一端辺を重ね合せて固定し、乾燥防止シート４の固定された一端辺とは反対側の一端辺に糸状の引っ張り手段５の一端を結合するとともに、糸状の引っ張り手段５の他端を容器本体２の一端辺と蓋体３の一端辺の固定した隙間から容器の外に出したことで引っ張れば乾燥防止シート４を収縮し集約することが可能となる。
【選択図】図１【図１】
0004069471.tif 000002
【図２】
0004069471.tif 000003
【図３】
0004069471.tif 000004
【図４】
0004069471.tif 000005